(57)【要約】【課題】  本発明は、脚と腕の筋力を同時に鍛えられると共に自転車としても使用することができるトレーニング器具兼用自転車を提供する。【解決手段】  トレーニング器具兼用自転車１０の前輪１２の近傍には足掛フレーム２２が設けられ、ハンドルシャフト３８には前輪１２の方向を定めるハンドル４０が設けられている。前記前輪１２の後方に配設された車体フレーム４２には第１後輪５２と第２後輪５４が設けられている。また、車体フレーム４２の中間部には第１レール装置７３と第２レール装置７４が設けられている。この第１レール装置７３と第２レール装置７４の第１スライドレール７６と第２スライドレール８３には椅子９５が載置されている。この椅子９５の下方には椅子９５を前方向に移動させると後輪伝達用シャフト６２を介して第１後輪５２と第２後輪５４を回転させるスライド用チェーン１０８が配設されている。【選択図】  図１
2006151009.tif 000002
【特許請求の範囲】
【請求項１】
前輪と一対の第１後輪及び第２後輪を備えてなる三輪車タイプの自転車において、前記前輪の近傍に配設された足掛フレームと、前記前輪を回転させるペダルと、前記前輪の方向を定めるハンドルと、前記前輪と第１後輪、第２後輪の間に配設された車体フレームと、この車体フレームの一側部に配設された前記第１後輪と、前記車体フレームの他側部に配設された前記第２後輪と、前記車体フレームに配設された後輪伝達用シャフトと、前記車体フレームの中間部に配設されたレール装置と、このレール装置を構成すると共に前後方向に移動可能なスライドレールと、このスライドレールに載置された椅子と、この椅子の下方に前後方向に沿って配設されると共に前記椅子の移動により前記後輪伝達用シャフトを介して前記第１後輪と第２後輪を回転させるスライド用チェーンと、を有してなることを特徴とするトレーニング器具兼用自転車。
【請求項２】
前輪と一対の第１後輪及び第２後輪を備えてなる三輪車タイプの自転車において、前記前輪の近傍に配設された足掛フレームと、前記前輪を回転させるペダルと、前記前輪の方向を定めるハンドルと、前記前輪と第１後輪、第２後輪の間に配設された車体フレームと、この車体フレームの一側部に配設された前記第１後輪及び第１後輪用フリーギヤと、前記車体フレームの他側部に配設された前記第２後輪及び第２後輪用フリーギヤと、前記車体フレームの中間部に配設された後輪伝達用シャフトと、この後輪伝達用シャフトに支持された後輪伝達用ギヤと、前記後輪伝達用シャフトの一端部に支持された第１後輪用駆動ギヤと、この第１後輪用駆動ギヤと前記第１後輪用フリーギヤに掛け回された第１後輪用チェーンと、前記後輪伝達用シャフトの他端部に支持された第２後輪用駆動ギヤと、この第２後輪用駆動ギヤと前記第２後輪用フリーギヤに掛け回された第２後輪用チェーンと、前記車体フレームに配設された第１レール装置及び第２レール装置と、この第１レール装置を構成すると共に前後方向にスライド可能な第１スライドレールと、前記第２レール装置を構成すると共に前後方向にスライド可能な第２スライドレールと、前記第１スライドレールと第２スライドレールに椅子台座板を介して載置された椅子と、前記椅子台座板の下方に配設されたスライド用ギヤ支持シャフトと、このスライド用ギヤ支持シャフトに支持されたスライド用フリーギヤと、前記椅子台座板の下方に前後方向に沿って配設されると共に中間部が前記スライド用フリーギヤに掛け回されたスライド用チェーンと、前記スライド用ギヤ支持シャフトに支持された後輪伝達駆動ギヤと、この後輪伝達駆動ギヤと前記後輪伝達用ギヤに掛け回された後輪伝達用チェーンと、を有してなることを特徴とするトレーニング器具兼用自転車。
【請求項３】
前輪と一対の第１後輪及び第２後輪を備えてなる三輪車タイプの自転車において、前記前輪の近傍に配設された足掛フレームと、前記前輪を回転させるペダルと、前記前輪の方向を定めるハンドルと、前記前輪と第１後輪、第２後輪の間に配設された車体フレームと、この車体フレームの一側面に延設された第１後輪用支持フレームと、前記車体フレームの他側面に延設された第２後輪用支持フレームと、この第１後輪用支持フレームと第２後輪用支持フレームに支持された後輪支持シャフトと、前記車体フレームと第１後輪用支持フレームとの間に配設された前記第１後輪と、前記車体フレームと第２後輪用支持フレームとの間に配設された前記第２後輪と、前記第１後輪用支持フレームと第１後輪の間に配設された第１後輪用フリーギヤと、前記車体フレームと第２後輪の間に配設された第２後輪用フリーギヤと、前記車体フレームの中間部に配設された後輪伝達用シャフトと、この後輪伝達用シャフトの中間部に支持された後輪伝達用ギヤと、前記後輪伝達用シャフトの一端部に支持された第１後輪用駆動ギヤと、この第１後輪用駆動ギヤと前記第１後輪用フリーギヤに掛け回された第１後輪用チェーンと、前記後輪伝達用シャフトの他端部に支持された第２後輪用駆動ギヤと、この第２後輪用駆動ギヤと前記第２後輪用フリーギヤに掛け回された第２後輪用チェーンと、前記車体フレームの中間部に配設された第１レール装置及び第２レール装置と、この第１レール装置を構成する略コ字状に形成された第１固定レールと、この第１固定レールの外側上方にスライド可能に配設された略コ字状に形成された第１スライドレールと、この第１スライドレールの前部の上片に固定された第１前部ローラー取付片と、この第１前部ローラー取付片の垂下部に回転自在に取り付けられると共に前記第１固定レールの上片を上下方向から挟む第１上ローラー及び第１下ローラーと、前記第１スライドレールの前部の下片に固定された第１前部サイドローラー取付片に回転自在に取り付けられると共に前記第１固定レールの上片の先端面に当接する第１サイドローラーと、前記第２レール装置を構成する略コ字状の第２固定レールと、この第２固定レールの外側上方にスライド可能に配設された略コ字状の第２スライドレールと、この第２固定レールの前部の下片に固定された第２前部ローラー取付片と、第２前部ローラー取付片の立上部に回転自在に取り付けられると共に前記第２スライドレールの下片を上下方向から挟む第２上ローラー及び第２下ローラーと、前記第２固定レールの前部の上片に固定された第２前部サイドローラー取付片に回転自在に支持されると共に前記第２スライドレールの下片の先端面に当接する第２前部サイドローラーと、前記第１固定レールの後部の下片に固定された第１後部ローラー取付片に回転自在に取り付けられると共に前記第１スライドレールの下片を上下方向から挟む第１上ローラー及び第１下ローラーと、前記第１固定レールの後部の上片に固定された第１後部サイドローラー取付片に回転自在に取り付けられると共に前記第１スライドレールの下片の先端面に当接する第１サイドローラーと、前記第２スライドレールの後部の上片に固定された第２後部ローラー取付片に回転自在に取り付けられると共に前記第２固定レールの上片を上下方向から挟む第２上ローラー及び第２下ローラーと、前記第２スライドレールの後部の下片に固定された第２後部サイドローラー取付片に回転自在に支持されて前記第２固定レールの上片の先端面に当接する第２サイドローラーと、前記第１スライドレールと第２スライドレールに固定された椅子台座板を介して載置されると共に前後方向に移動可能な椅子と、前記椅子台座板の下方に固定されたブラケットを介して支持されたスライド用ギヤ支持シャフトと、このスライド用ギヤ支持シャフトに支持されたスライド用フリーギヤと、このスライド用フリーギヤの前方に回転自在に配設された前テンションプーリーと、前記スライド用フリーギヤの後方に回転自在に配設された後テンションプーリーと、前記椅子台座板の下方に前後方向に沿って配設されると共に中間部が前記スライド用フリーギヤに掛け回されて前テンションプーリーと後テンションプーリーによってテンションをかけられたスライド用チェーンと、前記後輪伝達用ギヤと対応するように前記スライド用ギヤ支持シャフトに支持された後輪伝達駆動ギヤと、この後輪伝達駆動ギヤと前記後輪伝達用ギヤに掛け回された後輪伝達用チェーンと、を有してなることを特徴とするトレーニング器具兼用自転車。
【発明の詳細な説明】
【技術分野】
【０００１】
本発明は、主に脚や腕の筋力等を鍛えるトレーニング器具としても使用できると共に自転車としても使用することができるトレーニング器具兼用自転車に関する。
【背景技術】
【０００２】
移動手段として広く知られている自転車は脂肪燃焼効率がよく健康増進や健康維持の面からも優れていることは従来より指摘され、自転車にのって健康増進や健康維持を図っている人も多くいる。
そこで、トレーニングを主目的としたトレーニング用自転車も提案されているが、従来のトレーニング用自転車は通常の自転車と同様に主に脚を用いるため脚の筋力等を鍛えるには最適であるが、腕の筋力を鍛えることはほとんどできないという不具合がある。
また、このトレーニング用自転車はトレーニングを目的として開発されたものであり、室内等に設置された状態でペダルを踏んで脚等を鍛えるものであり、移動手段としては利用することができないという不具合がある。
【特許文献１】特開２００２−８５５８４号
【発明の開示】
【発明が解決しようとする課題】
【０００３】
本発明は、上記事実に鑑みなされたものであり脚の筋力だけでなく腕の筋力等も鍛えることができると共に移動手段である自転車としても使用することができるトレーニング器具兼用自転車を提供するものである。
【課題を解決するための手段】
【０００４】
請求項１の発明は、前輪と一対の第１後輪及び第２後輪を備えてなる三輪車タイプの自転車において、前記前輪の近傍に配設された足掛フレームと、前記前輪を回転させるペダルと、前記前輪の方向を定めるハンドルと、前記前輪と第１後輪、第２後輪の間に配設された車体フレームと、この車体フレームの一側部に配設された前記第１後輪と、前記車体フレームの他側部に配設された前記第２後輪と、前記車体フレームに配設された後輪伝達用シャフトと、前記車体フレームの中間部に配設されたレール装置と、このレール装置を構成すると共に前後方向に移動可能なスライドレールと、このスライドレールに載置された椅子と、この椅子の下方に前後方向に沿って配設されると共に前記椅子の移動により前記後輪伝達用シャフトを介して前記第１後輪と第２後輪を回転させるスライド用チェーンと、を有してなることを特徴としている。
請求項２の発明は、前輪と一対の第１後輪及び第２後輪を備えてなる三輪車タイプの自転車において、前記前輪の近傍に配設された足掛フレームと、前記前輪を回転させるペダルと、前記前輪の方向を定めるハンドルと、前記前輪と第１後輪、第２後輪の間に配設された車体フレームと、この車体フレームの一側部に配設された前記第１後輪及び第１後輪用フリーギヤと、前記車体フレームの他側部に配設された前記第２後輪及び第２後輪用フリーギヤと、前記車体フレームの中間部に配設された後輪伝達用シャフトと、この後輪伝達用シャフトに支持された後輪伝達用ギヤと、前記後輪伝達用シャフトの一端部に支持された第１後輪用駆動ギヤと、この第１後輪用駆動ギヤと前記第１後輪用フリーギヤに掛け回された第１後輪用チェーンと、前記後輪伝達用シャフトの他端部に支持された第２後輪用駆動ギヤと、この第２後輪用駆動ギヤと前記第２後輪用フリーギヤに掛け回された第２後輪用チェーンと、前記車体フレームに配設された第１レール装置及び第２レール装置と、この第１レール装置を構成すると共に前後方向にスライド可能な第１スライドレールと、前記第２レール装置を構成すると共に前後方向にスライド可能な第２スライドレールと、前記第１スライドレールと第２スライドレールに椅子台座板を介して載置された椅子と、前記椅子台座板の下方に配設されたスライド用ギヤ支持シャフトと、このスライド用ギヤ支持シャフトに支持されたスライド用フリーギヤと、前記椅子台座板の下方に前後方向に沿って配設されると共に中間部が前記スライド用フリーギヤに掛け回されたスライド用チェーンと、前記スライド用ギヤ支持シャフトに支持された後輪伝達駆動ギヤと、この後輪伝達駆動ギヤと前記後輪伝達用ギヤに掛け回された後輪伝達用チェーンと、を有してなることを特徴としている。
請求項３の発明は、前輪と一対の第１後輪及び第２後輪を備えてなる三輪車タイプの自転車において、前記前輪の近傍に配設された足掛フレームと、前記前輪を回転させるペダルと、前記前輪の方向を定めるハンドルと、前記前輪と第１後輪、第２後輪の間に配設された車体フレームと、この車体フレームの一側面に延設された第１後輪用支持フレームと、前記車体フレームの他側面に延設された第２後輪用支持フレームと、この第１後輪用支持フレームと第２後輪用支持フレームに支持された後輪支持シャフトと、前記車体フレームと第１後輪用支持フレームとの間に配設された前記第１後輪と、前記車体フレームと第２後輪用支持フレームとの間に配設された前記第２後輪と、前記第１後輪用支持フレームと第１後輪の間に配設された第１後輪用フリーギヤと、前記車体フレームと第２後輪の間に配設された第２後輪用フリーギヤと、前記車体フレームの中間部に配設された後輪伝達用シャフトと、この後輪伝達用シャフトの中間部に支持された後輪伝達用ギヤと、前記後輪伝達用シャフトの一端部に支持された第１後輪用駆動ギヤと、この第１後輪用駆動ギヤと前記第１後輪用フリーギヤに掛け回された第１後輪用チェーンと、前記後輪伝達用シャフトの他端部に支持された第２後輪用駆動ギヤと、この第２後輪用駆動ギヤと前記第２後輪用フリーギヤに掛け回された第２後輪用チェーンと、前記車体フレームの中間部に配設された第１レール装置及び第２レール装置と、この第１レール装置を構成する略コ字状に形成された第１固定レールと、この第１固定レールの外側上方にスライド可能に配設された略コ字状に形成された第１スライドレールと、この第１スライドレールの前部の上片に固定された第１前部ローラー取付片と、この第１前部ローラー取付片の垂下部に回転自在に取り付けられると共に前記第１固定レールの上片を上下方向から挟む第１上ローラー及び第１下ローラーと、前記第１スライドレールの前部の下片に固定された第１前部サイドローラー取付片に回転自在に取り付けられると共に前記第１固定レールの上片の先端面に当接する第１サイドローラーと、前記第２レール装置を構成する略コ字状の第２固定レールと、この第２固定レールの外側上方にスライド可能に配設された略コ字状の第２スライドレールと、この第２固定レールの前部の下片に固定された第２前部ローラー取付片と、第２前部ローラー取付片の立上部に回転自在に取り付けられると共に前記第２スライドレールの下片を上下方向から挟む第２上ローラー及び第２下ローラーと、前記第２固定レールの前部の上片に固定された第２前部サイドローラー取付片に回転自在に支持されると共に前記第２スライドレールの下片の先端面に当接する第２前部サイドローラーと、前記第１固定レールの後部の下片に固定された第１後部ローラー取付片に回転自在に取り付けられると共に前記第１スライドレールの下片を上下方向から挟む第１上ローラー及び第１下ローラーと、前記第１固定レールの後部の上片に固定された第１後部サイドローラー取付片に回転自在に取り付けられると共に前記第１スライドレールの下片の先端面に当接する第１サイドローラーと、前記第２スライドレールの後部の上片に固定された第２後部ローラー取付片に回転自在に取り付けられると共に前記第２固定レールの上片を上下方向から挟む第２上ローラー及び第２下ローラーと、前記第２スライドレールの後部の下片に固定された第２後部サイドローラー取付片に回転自在に支持されて前記第２固定レールの上片の先端面に当接する第２サイドローラーと、前記第１スライドレールと第２スライドレールに固定された椅子台座板を介して載置されると共に前後方向に移動可能な椅子と、前記椅子台座板の下方に固定されたブラケットを介して支持されたスライド用ギヤ支持シャフトと、このスライド用ギヤ支持シャフトに支持されたスライド用フリーギヤと、このスライド用フリーギヤの前方に回転自在に配設された前テンションプーリーと、前記スライド用フリーギヤの後方に回転自在に配設された後テンションプーリーと、前記椅子台座板の下方に前後方向に沿って配設されると共に中間部が前記スライド用フリーギヤに掛け回されて前テンションプーリーと後テンションプーリーによってテンションをかけられたスライド用チェーンと、前記後輪伝達用ギヤと対応するように前記スライド用ギヤ支持シャフトに支持された後輪伝達駆動ギヤと、この後輪伝達駆動ギヤと前記後輪伝達用ギヤに掛け回された後輪伝達用チェーンと、を有してなることを特徴としている。
【発明の効果】
【０００５】
請求項の発明は、脚の筋力と腕の筋力を同時に鍛えることができるという優れた効果を有する。
また、請求項の発明は、脚の筋力と腕の筋力等を鍛えながら前進させることができるので、トレーニングを行いながら移動手段の自転車としても使用できるという優れた効果を有する。
さらに、請求項の発明は、トレーニング器具としてではなく移動手段としての自転車だけの利用が可能であるためトレーニング器具として使用しなくても自転車として使用できるという優れた効果を有する。
【発明を実施するための最良の形態】
【０００６】
発明を実施するために最良の形態の例として以下のような実施例を示す。
【実施例１】
【０００７】
図１〜図８には本発明に係わるトレーニング器具兼用自転車の一実施例が示されている。
図１〜図３に示されるように、このトレーニング器具兼用自転車１０は安定して倒れ難い前輪と一対の後輪とからなる三輪車タイプである。なお、前輪と後輪のスポークは図面上省略する。
図１に示されるように、トレーニング器具兼用自転車１０の前輪１２は前輪用支持シャフト１４によって回転自在に支持されている。また、前輪用支持シャフト１４には前輪用フリーギヤ１６が支持されている。図２に示されるように、前記前輪１２の両側には前輪１２及び前輪用フリーギヤ１６を挟むように前ホーク１８が設けられている。この前ホーク１８の下端部１８Ａ，１８Ａは前記前輪用支持シャフト１４に固定されている。
図１に示されるように、前記前ホーク１８には足掛フレームブラケット２０がそれぞれ突設され、足掛フレームブラケット２０には図３に示すように前記前輪１２の前方と両側を囲む平面視略Ｕ字状の足掛フレーム２２が固定されている。
図１に示されるように、前ホーク１８の上部にはヘッドパイプ部２４が傾斜して立設されている。このヘッドパイプ部２４には前方に向って前輪用ギヤシャフトブラケット２６が突設されている。この前輪用ギヤシャフトブラケット２６には前輪用ギヤ支持シャフト２８が支持されている。
図２に示されるように、この前輪用ギヤ支持シャフト２８には前記前輪用フリーギヤ１６と対応するように前輪用駆動ギヤ３０が支持されている。この前輪用駆動ギヤ３０と前記前輪用フリーギヤ１６には前輪用チェーン３２が掛け回されている。また、前輪用ギヤ支持シャフト２８の両端部にはペダルクランク３４を介してペダル３６が取り付けられている。従って、前記ペダル３６を図１矢印Ｘ方向に回すと前輪用駆動ギヤ３０、前輪用チェーン３２、前輪用フリーギヤ１６を介して前輪１２が回転するようになっている。なお、前記ペダル３６を図１矢印Ａと反対方向に回しても前輪用フリーギヤ１６によって前輪１２は回転しないようになっている。
また、前輪用ギヤ支持シャフト２８の両端部にはペダルクランク３４を介してペダル３６が取り付けられている。
前記ヘッドパイプ部２４にはハンドルシャフト３８が挿入され、ハンドルシャフト３８に前記前輪１２の方向を定めるハンドル４０が設けられている。
図３に示されるように、前記ヘッドパイプ部２４には略方形枠状の車体フレーム４２が後方向に向って配設されている。この車体フレーム４２の後部一側面には第１後輪用支持フレーム４６が、他側面には第２後輪用支持フレーム４８がそれぞれ延設されている。この第１後輪用支持フレーム４６の先端部と第２後輪用支持フレーム４８の先端部は後輪支持シャフト５０を支持している。
前記車体フレーム４２と第１後輪用支持フレーム４６との間には第１後輪５２が配設され、車体フレーム４２と第２後輪用支持フレーム４８との間には第２後輪５４が配設されている。これら第１後輪５２と第２後輪５４は前記後輪支持シャフト５０によってそれぞれ支持されている。
また、前記第１後輪用支持フレーム４６と第１後輪５２の間には第１後輪用フリーギヤ５６が配設され、車体フレーム４２と第２後輪５４の間には第２後輪用フリーギヤ５８が配設されている。これら第１後輪用フリーギヤ５６と第２後輪用フリーギヤ５８も前記後輪支持シャフト５０によってそれぞれ支持されている。
前記車体フレーム４２の中間部にはブラケット６０，６０が固定され、ブラケット６０，６０は後輪伝達用シャフト６２を支持している。この後輪伝達用シャフト６２の中間部には後輪伝達用ギヤ６４が支持されている。
また、前記後輪伝達用シャフト６２の一端部には第１後輪用駆動ギヤ６６が支持されている。この第１後輪用駆動ギヤ６６と前記第１後輪用フリーギヤ５６には第１後輪用チェーン６８が掛け回されている。
前記後輪伝達用シャフト６２の他端部には第２後輪用駆動ギヤ７０が支持されている。この第２後輪用駆動ギヤ７０と前記第２後輪用フリーギヤ５８には第２後輪用チェーン７２が掛け回されている。
また、図３及び図４に示されるように、前記車体フレーム４２の中間部の一側部には第１レール装置７３が設けられ、他側部には第２レール装置７４が互いに対向した状態で前後方向に沿って設けられている。
図５に示されるように、この第１レール装置７３の第１固定レール７５は略コ字状に形成されて前後方向に沿って設けられている。また、この第１固定レール７５の外側上方には略コ字状に形成された第１スライドレール７６が前後方向に沿ってスライド可能に設けられている。
図４に示されるように、この第１スライドレール７６の前部の上片７６Ａには第１前部ローラー取付片７７が固定されている。図５に示されるように、この第１前部ローラー取付片７７の垂下部７７Ａには第１上ローラー７８と第１下ローラー７９が回転自在に取り付けられている。これら第１上ローラー７８と第１下ローラー７９は前記第１固定レール７５の上片７５Ａを上下方向から挟んでいる。
図４及び図６に示されるように、前記第１スライドレール７６の前部の下片７６Ｂには第１前部サイドローラー取付片８０が固定され、第１前部サイドローラー取付片８０には第１サイドローラー８１が回転自在に取り付けられている。この第１サイドローラー８１は前記第１固定レール７５の上片７５Ａの先端面に当接している。
図５に示されるように、前記第２レール装置７４の第２固定レール８２は略コ字状に形成されて前後方向に沿って設けられている。また、この第２固定レール８２の外側上方には略コ字状に形成された第２スライドレール８３が前後方向に沿ってスライド可能に設けられている。
図４及び図５に示されるように、この第２固定レール８２の前部の下片８２Ａには第２前部ローラー取付片８４が固定されている。図５に示されるように、第２前部ローラー取付片８４の立上部８４Ａには第２上ローラー８５と第２下ローラー８６が回転自在に取り付けられている。これら第２上ローラー８５と第２下ローラー８６は前記第２スライドレール８３の下片８３Ａを上下方向から挟んでいる。
図４及び図６に示されるように、前記第２固定レール８２の前部の上片８２Ｂには第２前部サイドローラー取付片８７が固定され、第２前部サイドローラー取付片８７には第２サイドローラー８８が回転自在に支持されている。この第２サイドローラー８８は前記第２スライドレール８３の下片８３Ａの先端面に当接している。
図４及び図７に示されるように、前記第１固定レール７５の後部の下片７５Ａには第１後部ローラー取付片９０が固定されている。図７に示されるように、第１後部ローラー取付片９０の立上部９０Ａには第１上ローラー７８と第１下ローラー７９が回転自在に取り付けられている。これら第１上ローラー７８と第１下ローラー７９は前記第１スライドレール７６の下片７６Ｂを上下方向から挟んでいる。
図４及び図７に示されるように、前記第１固定レール７５の後部の上片７５Ａには第１後部サイドローラー取付片９１が固定され、第１後部サイドローラー取付片９１には第１サイドローラー８１が回転自在に取り付けられている。この第１サイドローラー８１は前記第１スライドレール７６の下片７６Ｂの先端面に当接している。
前記第２スライドレール８３の後部の上片８３Ｂには第２後部ローラー取付片９２が固定されている。
図７に示されるように、この第２後部ローラー取付片９２の垂下部９２Ａには第２上ローラー８５と第２下ローラー８６が回転自在に取り付けられている。これら第２上ローラー８５と第２下ローラー８６は前記第２固定レール８２の上片８２Ｂを上下方向から挟んでいる。
図４及び図７に示されるように、前記第２スライドレール８３の後部の下片８３Ａには第２後部サイドローラー取付片９３が固定され、第２後部サイドローラー取付片９３には第２サイドローラー８８が回転自在に支持されている。この第２サイドローラー８８は前記第２固定レール８２の上片８２Ｂの先端面に当接している。
なお、前記第１スライドレール７６及び第２スライドレール８３の後部には図示しないストッパーが固定されている。また、前記第１固定レール７５及び第２固定レール８２の中間部には図示しないストッパー受体が固定されている。従って、前記第１スライドレール７６及び第２スライドレール８３を前方にスライドさせても第１スライドレール７６及び第２スライドレール８３のストッパーが第１固定レール７５及び第２固定レール８２のストッパー受体に当たり、前方停止位置（図１に想像線で示す位置）より前に第１スライドレール７６及び第２スライドレール８３はスライドできないようになっている。
また、前記第１固定レール７５及び第２固定レール８２に前記第１スライドレール７６及び第２スライドレール８３を固定させる図示しない固定手段が設けられている。従って、この固定手段を使用することにより第１固定レール７５及び第２固定レール８２に第１スライドレール７６及び第２スライドレール８３を固定できるようになっている。
図１に示されるように、前記第１スライドレール７６と第２スライドレール８３には椅子台座板９４を介して椅子９５が載置固定され、これにより椅子９５は前記第１スライドレール７６と第２スライドレール８３と共に前後方向に移動可能になっている。
図５及び図７に示されるように、前記第１固定レール７５と第２固定レール８２は前記車体フレーム４２を上下方向から挟持して固定される固定ブロック９６の上端面に固定されている。また、これら固定ブロック９６の下端面には平板矩形状の車体プレート９７が固定されている。
図５に示されるように、前記車体プレート９７の幅方向中間部には一対のブラケット９８を介してスライド用ギヤ支持シャフト１００が支持され、スライド用ギヤ支持シャフト１００にはスライド用フリーギヤ１０２が支持されている。
図８に示されるように、スライド用フリーギヤ１０２の前後方向の前には前テンションプーリー１０４が、後には後テンションプーリー１０６がそれぞれ回転自在に配設されている。また、前記椅子台座板９４の下方には前後方向に沿ってスライド用チェーン１０８が配設されている。このスライド用チェーン１０８の先端部１０８Ａは前記椅子台座板９４の先端部に設けられた先端調節係止体１０９によって着脱可能に取り付けられ、スライド用チェーン１０８の後端部１０８Ｂは椅子台座板９４の後端部に設けられた後端調節係止体１０９によって着脱可能に取り付けられている。また、前記スライド用チェーン１０８の中間部１０８Ｃはスライド用フリーギヤ１０２に掛け回されると共に前テンションプーリー１０４と後テンションプーリー１０６によってテンションをかけられている。
従って、前記椅子９５を前方向(図８矢印Ａ方向)に移動させると前方向に移動する椅子台座板９４に伴ってスライド用チェーン１０８も前方向に移動することにより、スライド用チェーン１０８が掛け回されているスライド用フリーギヤ１０２は図８矢印Ａ１方向（時計周り方向）に回転し、前記椅子９５を後方向(図８矢印Ｂ方向)に移動させると後方向に移動する椅子台座板９４に伴ってスライド用チェーン１０８も後方向に移動することにより、スライド用チェーン１０８が掛け回されているスライド用フリーギヤ１０２は図８矢印Ｂ１方向（反時計周り方向）に回転するようになっている。なお、この実施例では前記スライド用フリーギヤ１０２は図８矢印Ａ１方向（時計周り方向）に回転する場合は空回りし、図８矢印Ｂ１方向（反時計周り方向）に回転する場合は回転力を伝達するようになっている。
図５に示されるように、前記スライド用ギヤ支持シャフト１００には後輪伝達駆動ギヤ１１０が前記スライド用フリーギヤ１０２と同軸上に回転可能に支持されている。図３に示されるように、この後輪伝達駆動ギヤ１１０は前記後輪伝達用ギヤ６４と対応するようになっている。この後輪伝達駆動ギヤ１１０と前記後輪伝達用ギヤ６４には後輪伝達用チェーン１１２が掛け回されている。
従って、前記椅子９５を後方向に移動させることによりスライド用チェーン１０８を介してスライド用フリーギヤ１０２は図８矢印Ｂ１方向（反時計周り方向）に回転するとスライド用ギヤ支持シャフト１００が回転し後輪伝達駆動ギヤ１１０も回転するようになっている。
【０００８】
次に、実施例のトレーニング器具兼用自転車１０の使用方法について説明する。
このトレーニング器具兼用自転車１０をトレーニング器具として使用する場合は、使用者は前記椅子９５に座った状態で、足を足掛フレーム２２に掛けると共にハンドル４０をしっかり握る。
そして、握ったハンドル４０を手前に引き寄せるようにして腕に力を入れると使用者の身体がハンドル４０方向に引っ張られる状態になるので、椅子９５が載置されている第１レール装置７３と第２レール装置７４の第１スライドレール７６、第２スライドレール８３が前方向（図１左方向）にスライドするため椅子９５が前方向に移動する。この椅子９５が前方向に移動すると椅子台座板９４に伴ってスライド用チェーン１０８も前方向に移動するので、スライド用チェーン１０８が掛け回されているスライド用フリーギヤ１０２は図８矢印Ａ１方向（時計周り方向）に回転するが、スライド用フリーギヤ１０２は空回りするためスライド用ギヤ支持シャフト１００は回転しない。
従って、前記第１後輪５２、第２後輪５４は回転しないので、前記トレーニング器具兼用自転車１０は前進しない。
前記椅子９５が前方に移動して前方停止位置（図１に想像線で示す位置）で停止したらたら、今度は足掛フレーム２２に掛けている脚とハンドル４０を握っている手の腕をそれぞれ突っ張るようにして脚と腕に力を入れると使用者の身体が後方に押される状態になるので、椅子９５が載置されている椅子台座板９４が固定されている前記第１スライドレール７６、第２スライドレール８３が後方向に移動する。この時スライド用チェーン１０８も後方向に移動するためスライド用フリーギヤ１０２が図８矢印Ｂ１方向（反時計周り方向）に回転してスライド用ギヤ支持シャフト１００が回転し後輪伝達駆動ギヤ１１０も回転するため、後輪伝達用チェーン１１２も回転する。従って、後輪伝達用チェーン１１２を介して前記後輪伝達用ギヤ６４が回転することにより、後輪伝達用シャフト６２が回転して第１後輪用駆動ギヤ６６と第２後輪用駆動ギヤ７０がそれぞれ回転する。
これにより、第１後輪用チェーン６８を介して第１後輪用フリーギヤ５６、第１後輪５２が回転し、第２後輪用チェーン７２を介して第２後輪用フリーギヤ５８、第２後輪５４がそれぞれ回転する。この結果、第１後輪５２及び第２後輪５４が共に回転することによりトレーニング器具兼用自転車１０は前進する。
そして、前記椅子９５が後方に移動して後方停止位置（図１に実線で示す位置）まで後退したら前述したと同様に握ったハンドル４０を手前に引き寄せるようにして腕に力を入れてハンドル４０を引き寄せるようにして椅子９５を前方に移動させる。
従って、使用者が前記椅子９５に座って椅子９５を前方向に移動させる場合は主に腕の筋力を鍛え、椅子９５を後方向に移動させる場合は主に脚と腕の筋力を鍛えることができるので、椅子９５の前後方向の移動を繰り返すことにより脚の筋力と腕の筋力が同時に鍛えられると共に椅子９５を後方向に移動させることによりトレーニング器具兼用自転車１０が前進するので移動手段としても利用することができる。
また、前記車体プレート９７に図示しないウエイトを載置することによりトレーニング器具兼用自転車１０の重量を重くしてトレーニング負荷を調節してトレーニング目的を自分に合わせて調節することもできる。
【０００９】
なお、前記トレーニング器具兼用自転車１０を自転車の用途としてのみ使用する場合は最初に固定手段を使用して第１固定レール７５及び第２固定レール８２に第１スライドレール７６及び第２スライドレール８３を固定して椅子９５が前後方向に移動しないように固定する。
そして、固定された椅子９５に座った状態で足をペダル３６に乗せてペダル３６をこぐと前輪用駆動ギヤ３０、前輪用チェーン３２を介して前輪用フリーギヤ１６が回転して前輪１２を回転させるのでトレーニング器具兼用自転車１０を前進させることができる。
従って、このトレーニング器具兼用自転車１０はトレーニング目的とは関係なく、移動手段である通常の３輪タイプの自転車として使用することができるので、トレーニング器具として使用しない場合であっても邪魔になるようなことはない。
【００１０】
なお、実施例では平面視略Ｕ字状の足掛フレーム２２を示したが、足掛フレーム２２の形状は平面視略Ｕ字状に限定されるものでないことは勿論である。
【図面の簡単な説明】
【００１１】
【図１】実施例のトレーニング器具兼用自転車の側面図である。
【図２】実施例のトレーニング器具兼用自転車の正面図である。
【図３】実施例のトレーニング器具兼用自転車の平面図である。
【図４】実施例のトレーニング器具兼用自転車のレール装置の概略平面図である。
【図５】図４のＡ−Ａ線一部概略縦断面図である。
【図６】図４のＢ−Ｂ線一部概略縦断面図である。
【図７】図４のＣ−Ｃ線一部概略縦断面図である。
【図８】実施例のトレーニング器具兼用自転車のスライド用フリーギヤとスライド用チェーンの概略作用説明図である。
【符号の説明】
【００１２】
１０    トレーニング器具兼用自転車
１２    前輪
１４    前輪用支持シャフト
１６    前輪用フリーギヤ
２２    足掛フレーム
２４    ヘッドパイプ部
２８    前輪用ギヤ支持シャフト
３０    前輪用駆動ギヤ
３２    前輪用チェーン
３８    ハンドルシャフト
４０    ハンドル
４２    車体フレーム
４６    第１後輪用支持フレーム
４８    第２後輪用支持フレーム
５０    後輪支持シャフト
５２    第１後輪
５４    第２後輪
５６    第１後輪用フリーギヤ
５８    第２後輪用フリーギヤ
６２    後輪伝達用シャフト
６４    後輪伝達用ギヤ
６６    第１後輪用駆動ギヤ
６８    第１後輪用チェーン
７０    第２後輪用駆動ギヤ
７２    第２後輪用チェーン
７３    第１レール装置
７４    第２レール装置
７５    第１固定レール
７６    第１スライドレール
７７    第１前部ローラー取付片
７８    第１上ローラー
７９    第１下ローラー
８０    第１前部サイドローラー取付片
８１    第１サイドローラー
８２    第２固定レール
８３    第２スライドレール
８４    第２前部ローラー取付片
８５    第２上ローラー
８６    第２下ローラー
８７    第２前部サイドローラー取付片
８８    第２サイドローラー
９０    第１後部ローラー取付片
９１    第１後部サイドローラー取付片
９２    第２後部ローラー取付片
９３    第２後部サイドローラー取付片
９４    椅子台座板
９５    椅子
９６    固定ブロック
９７    車体プレート
１００  スライド用ギヤ支持シャフト
１０２  スライド用フリーギヤ
１０４  前テンションプーリー
１０６  後テンションプーリー
１０８  スライド用チェーン
１１０  後輪伝達駆動ギヤ
１１２  後輪伝達用チェーン
【図１】
2006151009.tif 000003
【図２】
2006151009.tif 000004
【図３】
2006151009.tif 000005
【図４】
2006151009.tif 000006
【図５】
2006151009.tif 000007
【図６】
2006151009.tif 000008
【図７】
2006151009.tif 000009
【図８】
2006151009.tif 000010